(57)【要約】【課題】加熱シーケンスを実行していない待機状態に消費電力を低減するようにした誘導加熱装置において、外部からのノイズによる誤動作耐量を損ねることなく、待機電力を低減できる誘導加熱装置を提供する。【解決手段】鍋１をコイル２により誘導加熱し、電流を制御する通電制御素子５をドライブ回路７によりドライブし、制御手段１１により加熱シーケンスにしたがって鍋１を加熱する。ドライブ回路７に第１の電源回路１２より電源電流を供給し、第２の電源回路１３により降圧して操作部９や制御手段１１等に電源電流を供給し、電源電圧変更手段１４により第１の電源回路１２の出力電圧を切り替える。電源電圧変更手段１４は、加熱シーケンスを実行していない待機状態にて、第１の電源回路１２の出力電圧の設定値を第１の電圧設定値からそれより低く設定した第２の電圧設定値に切り替えるよう構成する。【選択図】図１
2006156147.tif 000002
【特許請求の範囲】
【請求項１】
加熱装置本体内に収納される鍋と、この鍋の底部を誘導加熱するコイルと、このコイルに流れる電流を制御する通電制御素子と、この通電制御素子をドライブするドライブ回路と、操作部と、この操作部で指定された加熱シーケンスにしたがって前記鍋を加熱するため前記ドライブ回路にオン信号を出力する制御手段と、前記ドライブ回路に電源電流を供給する第１の電源回路と、前記第１の電源回路より電流を供給され電圧を降圧して前記操作部や制御手段等に電源電流を供給する第２の電源回路と、前記第１の電源回路の出力電圧を切り替える電源電圧変更手段とを備え、前記電源電圧変更手段は、加熱シーケンスを実行していない待機状態にて、前記第１の電源回路の出力電圧の設定値を第１の電圧設定値からそれより低く設定した第２の電圧設定値に切り替えるよう構成した誘導加熱装置。
【請求項２】
加熱シーケンスを実行していない待機状態の開始からの経過時間を計時する計時手段を備え、電源電圧変更手段は、前記計時手段の計時時間が設定値を超過したとき、第１の電源回路の出力電圧を第１の電圧設定値からそれより低く設定した第２の電圧設定値に切り替えるよう構成した請求項１記載の誘導加熱装置。
【請求項３】
待機中に、利用者が操作部にて操作を行った場合、第１の電源回路の出力電圧の設定値を第２の電圧設定値から第１の電圧設定値に戻すウェイクアップ手段を付加した請求項１記載の誘導加熱装置。
【請求項４】
待機中、かつ、第１の電源回路の出力電圧が第２の電圧設定値となった後に、利用者が操作部にて操作を行った場合、前記第１の電源回路の出力電圧の設定値を第２の出力電圧設定値から第１の出力電圧設定値に戻すウェイクアップ手段を付加した請求項２記載の誘導加熱装置。
【発明の詳細な説明】
【技術分野】
【０００１】
本発明は、加熱シーケンスを実行していない待機状態に消費電力を低減するようにした誘導加熱装置に関するものである。
【背景技術】
【０００２】
従来、この種の誘導加熱装置は図３に示すように構成していた（例えば、特許文献１参照）。以下、その構成について説明する。
【０００３】
図３に示すように、回路基板２０は、直流電源回路２２と、負荷部品の駆動回路２８と、起動スイッチ２９と、電源制御回路３０と、マイコン３４からなる制御部を備えている。
【０００４】
直流電源回路２２は、交流電源２１に直列に接続されて交流電流を整流するダイオード２３と、このダイオード２３に直列に接続されて平滑した直流高電圧を形成する電解コンデンサ２６と、降圧型チョッパー方式の周知の方法により降圧させて直流低電圧を得るスイッチング電源回路２５と、直流低電圧を安定化させる電解コンデンサ２７とで構成している。
【０００５】
起動スイッチ２９は、両端をスイッチング電源回路２５に接続し、この直流電源回路２２のスイッチング動作を起動するもので、非動作時は電流の通電を遮断する常開スイッチで構成している。
【０００６】
電源制御回路３０は、直流電源回路２２からの電力の出力状態を維持または停止するもので、スイッチング素子であるトランジスタ３１を備えている。このトランジスタ３１は、エミッタとコレクタを起動スイッチ２９と並列に接続し、ベースを抵抗３２を介してマイコン３４に接続するとともに、抵抗３３を介してエミッタ側と接続している。
【０００７】
この構成において、マイコン３４は、すべての負荷部品が非動作中であると判断すると、電源制御回路３０を介して、直流電源回路２２からの電力の出力を停止する。これにより、待機中の消費電力を低減することができる。
【特許文献１】特開２０００−２８７８３７号公報
【発明の開示】
【発明が解決しようとする課題】
【０００８】
しかしながら、このような従来の構成では、直流電源回路２２からの出力を停止しているときには、駆動回路２８には、電源電流の供給が停止されているため、その内部電位が不安定になり、外部からのノイズにより駆動回路２８の出力が誤出力され、負荷部品がご動作するという問題を有していた。特に、負荷部品の内でも、誘導加熱電流を導通、遮断する通電制御素子が誤動作した場合、この通電制御素子は１ミリ秒以内に短絡し、破壊してしまうという問題を有していた。
【０００９】
本発明は上記従来の課題を解決するもので、外部からのノイズによる誤動作耐量を損ねることなく、待機電力を低減できる誘導加熱装置を提供することを目的としている。
【課題を解決するための手段】
【００１０】
本発明は上記目的を達成するために、加熱装置本体内に収納される鍋の底部をコイルにより誘導加熱し、コイルに流れる電流を制御する通電制御素子をドライブ回路によりドライブし、制御手段により操作部で指定された加熱シーケンスにしたがって鍋を加熱するためドライブ回路にオン信号を出力し、ドライブ回路に第１の電源回路より電源電流を供給するとともに、第１の電源回路より電流を供給される第２の電源回路により電圧を降圧して操作部や制御手段等に電源電流を供給し、電源電圧変更手段により第１の電源回路の出力電圧を切り替えるよう構成し、電源電圧変更手段は、加熱シーケンスを実行していない待機状態にて、第１の電源回路の出力電圧の設定値を第１の電圧設定値からそれより低く設定した第２の電圧設定値に切り替えるよう構成したものである。
【００１１】
これにより、待機状態において、第１の電源回路の出力電圧を第１の電圧設定値より低い第２の電圧設定値とすることができ、電源電圧が下がったことにより、ドライブ回路の消費電流を低減でき、ひいては、全体の待機電力を抑えることができる。この状態では、ドライブ回路に電源電流が通電されているため、通電制御素子のトリガ端子は電位が安定し、外部からのノイズによる誤動作耐量を損ねることがなくなる。
【発明の効果】
【００１２】
本発明の誘導加熱装置は、待機状態において、第１の電源回路の出力電圧を低下させることにより、安価で、かつ外来ノイズ耐量を下げることなく、待機電力を低減することができる。
【発明を実施するための最良の形態】
【００１３】
第１の発明は、加熱装置本体内に収納される鍋と、この鍋の底部を誘導加熱するコイルと、このコイルに流れる電流を制御する通電制御素子と、この通電制御素子をドライブするドライブ回路と、操作部と、この操作部で指定された加熱シーケンスにしたがって前記鍋を加熱するため前記ドライブ回路にオン信号を出力する制御手段と、前記ドライブ回路に電源電流を供給する第１の電源回路と、前記第１の電源回路より電流を供給され電圧を降圧して前記操作部や制御手段等に電源電流を供給する第２の電源回路と、前記第１の電源回路の出力電圧を切り替える電源電圧変更手段とを備え、前記電源電圧変更手段は、加熱シーケンスを実行していない待機状態にて、前記第１の電源回路の出力電圧の設定値を第１の電圧設定値からそれより低く設定した第２の電圧設定値に切り替えるよう構成したものであり、待機状態において、第１の電源回路の出力電圧を第１の電圧設定値より低い第２の電圧設定値とすることができ、電源電圧が下がったことにより、ドライブ回路の消費電流を低減でき、ひいては、全体の待機電力を抑えることができる。この状態では、ドライブ回路に電源電流が通電されているため、通電制御素子のトリガ端子は電位が安定し、外部からのノイズによる誤動作耐量を損ねることがなくなる。
【００１４】
第２の発明は、上記第１の発明において、加熱シーケンスを実行していない待機状態の開始からの経過時間を計時する計時手段を備え、電源電圧変更手段は、前記計時手段の計時時間が設定値を超過したとき、第１の電源回路の出力電圧を第１の電圧設定値からそれより低く設定した第２の電圧設定値に切り替えるよう構成したものであり、待機状態開始後の経過時間が計時手段の設定値を超過したとき、第１の電源回路の出力電圧を第１の電圧設定値より低い第２の電圧設定値とし、電源電圧が下げることにより、ドライブ回路の消費電流を低減でき、ひいては、全体の待機電力を抑えることができる。この状態では、ドライブ回路に電源電流が通電されているため、通電制御素子のトリガ端子は電位が安定し、外部からのノイズによる誤動作耐量を損ねることがなくなる。
【００１５】
第３の発明は、上記第１の発明において、待機中に、利用者が操作部にて操作を行った場合、第１の電源回路の出力電圧の設定値を第２の電圧設定値から第１の電圧設定値に戻すウェイクアップ手段を付加したものであり、利用者の操作に呼応して鳴動するブザーや点灯するＬＥＤ等、第１の電源回路より電源供給を受ける消費電力の大きな素子の駆動に備えることができる。
【００１６】
第４の発明は、上記第２の発明において、待機中、かつ、第１の電源回路の出力電圧が第２の電圧設定値となった後に、利用者が操作部にて操作を行った場合、前記第１の電源回路の出力電圧の設定値を第２の出力電圧設定値から第１の出力電圧設定値に戻すウェイクアップ手段を付加したものであり、利用者の操作に呼応して鳴動するブザーや点灯するＬＥＤ等、第１の電源回路より電源供給を受ける、消費電力の大きな素子の駆動に備えることができる。
【００１７】
以下、本発明の実施の形態について、図面を参照しながら説明する。なお、この実施の形態によって本発明が限定されるものではない。
【００１８】
（実施の形態１）
図１は、本発明の実施の形態１における誘導加熱装置の一部ブロック化した回路図である。
【００１９】
図１に示すように、鍋１は加熱装置本体（図示せず）内に収納され、この鍋１の底部をコイル２により誘導加熱にて加熱する。コイル２に並列に共振用コンデンサ３を接続している。インバータ電源部４は、商用電源４１より電流を供給され、ダイオードブリッジ４２にて全波整流し、コンデンサ４３にて平滑化された直流をコイル２に供給する。通電制御素子５は、コイル２に流れる電流を制御するもので、通電制御素子５に並列に還流ダイオード６を接続している。
【００２０】
ドライブ回路７は、通電制御素子５のトリガ端子５１に規定の電圧の駆動信号を出力し通電制御素子５を導通させる。マイクロコンピュータ（以下、マイコンという）８は、内部に搭載されたメモリ８１に格納されたシーケンスに従い加熱を制御するものであり、操作部９は、スイッチ９１や抵抗９２により構成し、スイッチ９１のオン・オフをマイコン８に入力している。マイコン周辺回路１０は、ブザー１０１やＬＥＤ１０２などより構成している。
【００２１】
制御手段１１は、マイコン８に内蔵され、ドライブ回路７にオン・オフ信号を出力している。第１の電源回路１２は、ドライブ回路７やマイコン周辺回路１０に電源電流を供給し、第２の電源回路１３は、第１の電源回路１２より電流の供給を受け、降圧してマイコン８や操作部９に電源電流を供給するようにしている。
【００２２】
ドライブ回路７は、通電制御素子５をドライブするもので、トランジスタ７０１〜７０４と抵抗で構成し、制御手段１１がハイ信号を出力すると、トランジスタ７０１がオンし、トランジスタ７０２はベースがトランジスタ７０１のコレクタに接続されており、トランジスタ７０１のオンに伴いベース電位が下がるためにオフする。これにより、トランジスタ７０２のコレクタ、つまり、トランジスタ７０３の電位が上昇し、トランジスタ７０３が導通し、通電制御素子５のトリガ端子５１に電流が供給され、トリガ端子５１の電位が上昇して、通電制御素子５を導通させる。
【００２３】
制御手段１１がロー信号を出力するときは、トランジスタ７０１〜７０４の動作は逆になり、トランジスタ７０４はオンして、通電制御素子５のトリガ端子５１より電流を吸出し、トリガ端子５１の電位はグランドレベルに保たれて、通電制御素子５はオフを維持する。トランジスタ７０４がオンを維持することにより、通電制御素子５のトリガ端子５１の電位はグランドレベルに保たれているので、外来ノイズにより、通電制御素子５が誤点弧することはない。
【００２４】
第１の電源回路１２は、ダイオード１２１、抵抗１２２により、商用電源４１の半波整流を行い、電解コンデンサ１２３を充電する。電源ＨＩＣ１２４は、電解コンデンサ１２３の電荷を内部の半導体によりスイッチングし、コイル１２５、還流ダイオード１２６により共振させ、電解コンデンサ１２７にて平滑化する。
【００２５】
ツェナーダイオード１２８、フォトカプラ１２９は、この電源電圧のフィードバック回路であり、第１の電源回路１２の出力電圧がツェナーダイオード１２８のツェナー電圧と、フォトカプラ１２９の内蔵発光ダイオード順電圧の規定値より高いとき、フォトカプラ１２９の内蔵発光ダイオードは発光し、同じくパッケージ内に内蔵されているフォトトランジスタを導通させ、電源ＨＩＣ１２４内部の半導体のスイッチングが停止し、コイル１２５への電流の供給が停止され、電解コンデンサ１２７の電荷が消費されるに従い、第１の電源回路１２の出力電圧は低下する。
【００２６】
逆に、第１の電源回路１２の出力電圧がツェナーダイオード１２８のツェナー電圧と、フォトカプラ１２９の内蔵発光ダイオード順電圧の規定値より低いとき、フォトカプラ１２９の内蔵発光ダイオードは発光せず、同じくパッケージ内に内蔵されているフォトトランジスタは導通せず、電源ＨＩＣ１２４は、内部の半導体のスイッチングを継続し、コイル１２５、還流ダイオード１２６の共振により、電解コンデンサ１２７には電荷が充電されて、第１の電源回路１２の出力電圧は上昇する。
【００２７】
第１の電源回路１２の出力電圧は、通電制御素子５のトリガ端子５１の特性に合わせる必要があり、ここでは２０Ｖとなっている。
【００２８】
第１の電源回路１２による電源は、この図においては、“Ｖ”１２０にて示しており、ドライブ回路７、マイコン周辺回路１０、第２の電源回路１３に、接続され、電源電流を供給している。
【００２９】
第２の電源回路１３は、トランジスタ１３１、抵抗１３２、ツェナーダイオード１３３によりドロップ型の定電圧回路を構成しており、第１の電源回路１２から供給された２０Ｖを５Ｖに降圧し電解コンデンサ１３４を充電する。
【００３０】
第２の電源回路１３は、この図においては、その出力を“ＶＤＤ”１３０にて示しており、第１の電源回路１２より電流の供給を受け、マイコン８や操作部９に５Ｖの電源電流を供給している。
【００３１】
第２の電源回路１３は、商用電源４１より直接電流を供給されるのではなく、第１の電源回路１２にて、２０Ｖに降圧した直流を供給されることにより、降圧に伴う発熱の抑制と、絶縁距離の緩和を行いコンパクトな配置としている。
【００３２】
電源電圧変更手段１４は、第１の電源回路１２の出力電圧を切り替えるもので、加熱シーケンスを実行していない待機状態にて、第１の電源回路１２の出力電圧の設定値を第１の電圧設定値からそれより低く設定した第２の電圧設定値に切り替えるよう構成している。すなわち、ツェナーダイオード１２８、ツェナーダイオード１４１、トランジスタ１４２は電圧設定部であり、加熱シーケンス中の第１の電源回路１２の出力電圧の設定値が第１の電圧設定値の場合は、トランジスタ１４２をオフさせ、ツェナーダイオード１２８、ツェナーダイオード１４１を直列接続の状態で、電源ＨＩＣ１２４の電圧フィードバックループに挿入する。
【００３３】
加熱シーケンスを実行していない待機状態にて、第２の電圧設定値に切り替える場合は、トランジスタ１４２をオンさせ、ツェナーダイオード１４１の両端をショートし、電源ＨＩＣ１２４のフィードバックループには、ツェナーダイオード１２８のみが挿入される。本実施の形態では、第１の電圧設定値は２０Ｖ、第２の電圧設定値は１０Ｖとなるように、ツェナーダイオード１２８、ツェナーダイオード１４１を選定している。
【００３４】
第１の電源回路１２の出力電圧の設定値を、第１の電圧設定値から第２の電圧設定値に切り替えた直後には、電荷の消費に時間がかかり、電解コンデンサ１２７の両端電圧は、第１の電圧設定値である２０Ｖで、元々１０Ｖ程度の定格電圧であるツェナーダイオード１２８には、過電流が流れる恐れがある。これを防止するために、抵抗１４３をトランジスタ１４２のコレクタに挿入している。
【００３５】
電源電圧変更機能１４４は、マイコン８内において、誘導加熱装置の状況に応じ、第１の電源回路１２の出力電圧の設定値切り替えのため、トランジスタ１４２にオン・オフ信号を出力する機能である。
【００３６】
この電源電圧変更機能１４４の出力は、第１の電圧設定値に対応したローと、第２の電圧設定値に対応したハイインピーダンスの２通りであり、ロー出力のとき、トランジスタ１４２はオフ、ハイインピーダンス出力のとき、トランジスタ１４２は、抵抗１４５から供給される電流にてオンする。加熱シーケンス実効中等、待機以外の状態では、電源電圧変更機能１４４はローを出力している。
【００３７】
計時手段１５は、誘導加熱装置が加熱シーケンスを終了し、待機状態になってからの経過時間を計時するものであり、ウェイクアップ手段１６は、待機中に、利用者が操作部９にて操作を行った場合、第１の電源回路１２の出力電圧の設定値を第２の電圧設定値から第１の電圧設定値に戻すものであり、これらの詳細は後述する。
【００３８】
上記構成において動作、作用を説明する。利用者が操作部９のスイッチ９１を押し、加熱シーケンスをスタートさせると、マイコン８は、メモリ８１に搭載されたシーケンスに従い、マイコン８に内蔵された制御手段１１より、ドライブ回路７にハイ信号を出力し、これを受けてドライブ回路７は、通電制御素子５のトリガ端子５１に駆動信号を出力し、通電制御素子５を導通して、コイル２に通電され、鍋１を誘導加熱する。
【００３９】
ここで、加熱シーケンスを実行していない待機状態では、電源電圧変更機能１４４はハイを出力し、電源電圧変更手段１４を構成するトランジスタ１４２をオンにし、ツェナーダイオード１４１の両端をショートし、電源ＨＩＣ１２４のフィードバックループには、ツェナーダイオード１２８のみが挿入されることになり、第１の電源回路１２の出力電圧の設定値を第１の電圧設定値（２０Ｖ）からそれより低く設定した第２の電圧設定値（１０Ｖ）に切り替える。これにより、ドライブ回路７の消費電流を低減できる。
【００４０】
また、マイコン周辺回路１０を構成するＬＥＤ１０１やブザー１０２は、第１の電源回路１２より電源電流を供給されており、第１の電源回路１２の電圧設定値が第２の電圧設定値である１０Ｖでは、正常に動作しない。このため、全体の待機電力を抑えることができる。
【００４１】
本実施の形態では、待機状態での待機電力低減状態における、第１の電源回路１２の出力電圧を１０Ｖ（第２の電圧設定値）と設定したが、これは、第２の電源回路１３の出力電圧である５Ｖに対して、充分な余裕のある値であり、第２の電源回路１３の抵抗１３２には、充分な電流が流れ、トランジスタ１３１のベースとツェナーダイオード１３３には充分な電流が流れ、第２の電源回路１３の出力電圧５Ｖは、充分な安定性と電流供給能力を持っている。
【００４２】
このため、第２の電源回路１３に接続された、マイコン周辺回路９の回路は、待機状態における待機電力低減状態において、第１の電源回路１２の出力電圧が、第２の電圧設定値である１０Ｖとなっているときでも、誤動作の恐れがない。
【００４３】
また、ドライブ回路７では、第１の電源回路１２の出力電圧が第２の電圧設定値である１０Ｖとなっているときでも、各トランジスタ７０１〜７０４は、正常にオン・オフ状態を維持している。
【００４４】
通電制御素子５のトリガ端子５１接続されたトランジスタ７０４も、オン状態を維持してトリガ端子５１をグランドレベルに固定しており、もし仮に、外部よりノイズが浸入しても、通電制御素子５は、誤点弧することはない。
【００４５】
なお、第１の電源回路の第２の電圧設定値を、第２の電源回路１３の出力電圧である５Ｖ以下の値である４Ｖとした場合も、第２の電源回路１３を構成する抵抗１３２には電流が流れ、一方、ツェナーダイオード１３３には、ツェナー電圧以下で電流が流れないことにより、トランジスタ１３１のべース電流は確保でき、第２の電源回路１３の出力電圧は３．５Ｖ程度となって、マイコン８やマイコン周辺回路９は、動作状態を維持することができる。
【００４６】
ドライブ回路７でも、電源として４Ｖが供給されているため、上記のように、通電制御素子５のトリガ端子５１に接続されたトランジスタ７０４も、オン状態を維持し、トリガ端子５１をグランドレベルに固定しており、もし仮に、外部よりノイズが浸入しても、通電制御素子５は、誤点弧することはない。
【００４７】
また、この状態では、第１の電源回路１２、第２の電源回路１３の出力電圧が、上記実施の形態に比べも、より一層下がることにより、待機電力は更に低い値となる。
【００４８】
以上のように、本実施の形態においては、電源電圧変更手段１４は、加熱シーケンスを実行していない待機状態にて、第１の電源回路１２の出力電圧の設定値を第１の電圧設定値（２０Ｖ）からそれより低く設定した第２の電圧設定値（１０Ｖ）に切り替えるよう構成したので、待機状態において、第１の電源回路１２の出力電圧が下がったことにより、ドライブ回路７の消費電流を低減でき、ひいては、全体の待機電力を抑えることができる。この状態では、ドライブ回路７に電源電流が通電されているため、通電制御素子５のトリガ端子５１は電位が安定し、外部からのノイズによる誤動作耐量を損ねることがなくなる。
【００４９】
（実施の形態２）
図１に示す計時手段１５は、誘導加熱装置が加熱シーケンスを終了し、待機状態になってからの経過時間を計時するものであり、電源電圧変更手段１４は、計時手段１５の計時時間が設定値を超過したとき、第１の電源回路１２の出力電圧を第１の電圧設定値からそれより低く設定した第２の電圧設定値に切り替えるよう構成している。他の構成は上記実施の形態１と同じである。
【００５０】
上記構成において図２を参照しながら動作、作用を説明する。なお、鍋１を誘導加熱する動作は上記実施の形態１と同じであるので説明を省略する。
【００５１】
図２のステップ１５０にて計時時間を０にリセットし、ステップ１５１にて待機状態かどうかを判定し、待機状態でなければステップ１５０へ戻り、計時時間を０にリセットしつづける。ステップ１５で待機状態の場合、ステップ１５２へ進み計時を行う。ステップ１５３にて計時時間が設定時間Ｔを超過すると、ステップ１５４にて電源電圧変更機能１４４に信号を出力し、電源電圧変更機能１４４は、電源電圧変更手段１４を構成するトランジスタ１４２をオンにし、上記実施の形態１と同様に、第１の電源回路１２の出力電圧の設定値を第１の電圧設定値（２０Ｖ）からそれより低く設定した第２の電圧設定値（１０Ｖ）に切り替える。これにより、ドライブ回路７の消費電流を低減でき、ひいては、全体の待機電力を抑えることができる。
【００５２】
以上のように、本実施の形態においては、電源電圧変更手段１４は、計時手段１５の計時時間が設定値を超過したとき、第１の電源回路１２の出力電圧を第１の電圧設定値からそれより低く設定した第２の電圧設定値に切り替えるよう構成したので、待機状態開始後の経過時間が計時手段１５の設定値を超過したとき、第１の電源回路１２の出力電圧を第１の電圧設定値より低い第２の電圧設定値とし、電源電圧が下げることにより、ドライブ回路７の消費電流を低減でき、ひいては、全体の待機電力を抑えることができる。この状態では、ドライブ回路７に電源電流が通電されているため、通電制御素子５のトリガ端子５１は電位が安定し、外部からのノイズによる誤動作耐量を損ねることがなくなる。
【００５３】
（実施の形態３）
図１に示すウェイクアップ手段１６は、待機中に、利用者が操作部９にて操作を行った場合、電源電圧変更機能１４４に信号を出力し、第１の電源回路１２の出力電圧の設定値を第２の電圧設定値から第１の電圧設定値に戻すようにしている。他の構成は上記実施の形態１と同じである。
【００５４】
上記構成において動作、作用を説明する。なお、鍋１を誘導加熱する動作は上記実施の形態１と同じであるので説明を省略する。
【００５５】
第１の電源回路１２の出力電圧の設定値が待機電力低減状態に入り第２の電圧設定値である状態で、利用者が操作部９のスイッチ９１を押した場合、それを検知して、電源電圧変更機能１４４に信号を出力し、電源電圧変更機能１４４は、トランジスタ１４２にローを出力し、第１の電源回路１２の出力電圧の設定値を第１の電圧設定値である２０Ｖに切り替える。
【００５６】
スイッチ９１の操作直後に、ウェイクアップ手段１６より信号を受けた電源電圧変更機能１４４が第１の電源回路１２の出力電圧設定値を、第１の電圧設定値である２０Ｖに戻すことにより、スイッチ９１の操作終了直後に発生するＬＥＤ１０１の点灯やブザー１０２の鳴動が、その点灯・鳴動直後より、正常動作できる。
【００５７】
なお、本実施の形態では、ウェイクアップ手段１６は、待機中に、利用者が操作部９にて操作を行った場合、第１の電源回路１２の出力電圧の設定値を第２の電圧設定値から第１の電圧設定値に戻すようにしているが、待機中、かつ、第１の電源回路１２の出力電圧が第２の電圧設定値となった後に、利用者が操作部９にて操作を行った場合、第１の電源回路１２の出力電圧の設定値を第２の出力電圧設定値から第１の出力電圧設定値に戻すようにしてもよく、同様の作用、効果を得ることができる。
【産業上の利用可能性】
【００５８】
以上のように、本発明にかかる誘導加熱装置は、待機状態において、第１の電源回路の出力電圧を低下させることにより、安価で、かつ外来ノイズ耐量を下げることなく、待機電力を低減することができるので、加熱シーケンスを実行していない待機状態に消費電力を低減するようにした誘導加熱装置として有用である。
【図面の簡単な説明】
【００５９】
【図１】本発明の実施の形態１における誘導加熱装置の一部ブロック化した回路図
【図２】本発明の実施の形態２における誘導加熱装置の要部動作フローチャート
【図３】従来の誘導加熱装置の一部ブロック化した回路図
【符号の説明】
【００６０】
１  鍋
２  コイル
５  通電制御素子
７  ドライブ回路
９  操作部
１１  制御手段
１２  第１の電源回路
１３  第２の電源回路
１４  電源電圧変更手段
【図１】
2006156147.tif 000003
【図２】
2006156147.tif 000004
【図３】
2006156147.tif 000005